(57)【要約】ヘッドホンの着用感を良く保つようにヘッドホンシステムに結合して使用する外装材のようなヘッドホンアクセサリーであって、特に長時間着用に有利に多用な機能を与えるためのものである。ヘッドホンアクセサリーは、電気信号から音を再生するスピーカーユニットまたはそのスピーカーユニットが装着されたエンクロージャを支持し、聴取者の耳周りを覆い被せる形よりなってそのスピーカーユニットまたはエンクロージャ２０、２０’から出てくる音を聴取者の耳に集める空間を形成する円筒部を有する音場形成部材３０と、この音場形成部材の円筒部外周面に着脱自在に挟まれ、その挟まれた状態で聴取者の耳周りの顔面と直接接触する伸縮性材質の外装体７０を含んでなる。外装体は、汗ばみを防止するために通気性が強化された機能型、ユーザの好みに合わせて多様なデザインで創出されたファッション型、及び季節によって保温、保冷、そして指圧などで健康を増進させうる健康型などに多様化することでヘッドホンの長時間使用に効率よく寄与できる。
2004511991.tif 000002
【特許請求の範囲】
【請求項１】
電気信号から音を再生するスピーカーユニットまたはそのスピーカーユニットが装着されたエンクロージャを支持し、聴取者の耳周りを覆い被せる形よりなってそのスピーカーユニットまたはエンクロージャから出てくる音を聴取者の耳に集める空間を形成する円筒部を有する音場形成部材と、
この音場形成部材の円筒部外周面に着脱自在に挟まれ、その挟まれた状態で聴取者の耳周りの顔面と直接接触する伸縮性材質の外装体を含んでなるヘッドホンアクセサリー。
【請求項２】
前記外装体が人体親和性材質のシリコンを主材としたことを特徴とする請求項１に記載のヘッドホンアクセサリー。
【請求項３】
前記外装体は、多数の円板状支持板が位置する前記音場形成部材の円筒部の外周面に沿って環状に配され、各支持板の内側の隣接部分同士で一体に連結されていることを特徴とする請求項１に記載のヘッドホンアクセサリー。
【請求項４】
前記外装体は、前記音場形成部材の円筒部外周面に弾力的に密着して囲まれるバンド部材及びコイルバネのように巻いて両端を繋ぎ合わせた環状コイル部材よりなり、その環状コイル部材がバンド部材の外側面に付着されていることを特徴とする請求項１に記載のヘッドホンアクセサリー。
【請求項５】
前記外装体は、前記音場形成部材の円筒部外周面に弾力的に密着して囲まれるバンド部材及び多数の環状支持リングよりなり、その多数の支持リングが立てられた状態で環状に配されて各支持リングの内側部がバンド部材の外側面に一体に付着されることを特徴とする請求項１に記載のヘッドホンアクセサリー。
【請求項６】
前記外装体の表面に多様な色彩及び／またはキャラクターが表現されていることを特徴とする請求項１に記載のヘッドホンアクセサリー。
【請求項７】
前記外装体は中空部を有する環状のチューブに保温または保冷のための媒体を充填させてなることを特徴とする請求項１に記載のヘッドホンアクセサリー。
【請求項８】
前記外装体は、その表面の少なくとも一部が突き出て着用者の耳周りの顔面経穴を刺激する多数の指圧突起を有することを特徴とする請求項１に記載のヘッドホンアクセサリー。
【請求項９】
前記外装体を綿やウールにて被服するためのカバーがさらに備えられていることを特徴とする請求項１に記載のヘッドホンアクセサリー。
【請求項１０】
前記音場形成部材の円筒端部に挟まれてその円筒部の外周面に結合された前記外装体の離脱を防止する固定リングをさらに含んでなる請求項１に記載のヘッドホンアクセサリー。
【発明の詳細な説明】
【０００１】
【技術分野】
本発明はヘッドホン着用時に聴取者の耳を覆ったり、その周りの顔面に直接接触して着用感を良く保つべくヘッドホンシステムに結合して使用する外装材のようなヘッドホン用アクセサリーに係り、特にその着用感の他にも長時間の着用に適すべく多用な機能を与えるためのものである。
【０００２】
【背景技術】
個人聴取空間を提供するヘッドホンやヘッドセットはパソコンを用いたマルチメディア及びデジタル通信技術の発達で映画や音楽鑑賞・仮想現実・ゲーム・チャット・インターネットフォンなどのためにその需要が急増している。また、既存の典型的な２チャンネルステレオ用から５．１チャンネルなど３次元立体音響を再生するための多チャンネル用（例：本出願人の先出願発明である韓国特許出願１０−２０００−０００９５８７、１０−２０００−００５６１９１）などその性能も大きく改善されてきた。
【０００３】
一般の２チャンネルステレオヘッドホンでは聴取者の両側耳を各々覆うように着用される閉鎖型エンクロージャにスピーカーユニットを装着したものであって、着用感を良くするために主に布やスポンジを用いてエンクロージャを覆いかぶせる形の外装材が使われていた。
【０００４】
一方、本出願人の前記先出願による多チャンネルヘッドホンは音の干渉を避け、効果的な音の方向及び空間知覚のために２つ以上のスピーカーユニットを聴取者の耳を中心に前後に配するが、各スピーカーユニットを独立した開放型構造のエンクロージャに装着することによって３次元立体音響を提供し、２番目の出願では図１Ａ及び図１Ｂに示されたように聴取者の耳周りを覆い被せる形の音場形成部材を使用し、その音場形成部材のために各々スピーカーユニットが装着されているエンクロージャを支持することによって音響効果をさらに高めたものである。このような音場形成部材には聴取者の耳周りの顔面と接する部分に軟らかい素材よりなる外装材をかぶせて音響学的に外部と遮断しかつ聴取者の顔面と軟らかい接触を図るものであった。
【０００５】
最近、ヘッドホンを用いた音楽鑑賞はもとより、インターネットやデジタル多機能ディスクのような大容量多重媒体の普及によって、音声及び画像チャット、オンラインゲーム、及び映画鑑賞が普遍化されることによってヘッドホンの着用時間も相当増加する趨勢にある。
【０００６】
しかし、従来のヘッドホンに使われる外装材は短時間の着用感は高められたが、着用時間が長くなると、汗ばんで臭くなるなどそれ以上着用感を柔らかに保たせず、むしろ着用者に不便さ及び不快感を与える問題があった。かかる問題は特に暑い夏季に激しく、冬季に室外での使用時に耳がかじかむなど保温効果に劣って長時間の使用に難点があった。
【０００７】
【発明の開示】
本発明の目的は、着用感と共に季節など使用環境を考慮して長時間使用できる機能型外装体を備えたヘッドホンアクセサリーを提供することである。
【０００８】
本発明の他の目的は、多様なキャラクター創出が可能なファッション型外装体を備えたヘッドホンアクセサリーを提供することである。
【０００９】
本発明のさらに他の目的は、季節によって保温または保冷が可能な季節用外装体を備えたヘッドホンアクセサリーを提供することである。
【００１０】
本発明のさらに他の目的は、着用者の耳周りの経穴を刺激する指圧機能を有する健康型外装体を備えたヘッドホンアクセサリーを提供することである。
【００１１】
前記目的を達成するために本発明では、電気信号から音を再生するスピーカーユニットまたはそのスピーカーユニットが装着されたエンクロージャを支持し、聴取者の耳周りを覆い被せる形よりなってそのスピーカーユニットまたはエンクロージャから出てくる音を聴取者の耳に集める空間を形成する円筒部を有する音場形成部材と、この音場形成部材の円筒部外周面に着脱自在に挟まれ、その挟まれた状態で聴取者の耳周りの顔面と直接接触する伸縮性材質の外装体を含んでなるヘッドホンアクセサリーを創案し、その外装体を通じて多様なキャラクターを創出するファッション型、そして季節変化によって保温や保冷機能、または着用時経穴を刺激する指圧機能など多様な機能が与えられたヘッドホンアクセサリーを具現した。
【００１２】
【発明を実施するための最良の態様】
以下、添付した図面に基づいて本発明に係るヘッドホンアクセサリーの望ましい実施例を詳細に説明する。
【００１３】
図１Ａ及び図１Ｂは、本発明が適用された多チャンネルヘッドホンの着用状態を示す側面図である。まず、図１Ａを参照すれば、多チャンネルヘッドホンは聴取者の耳を中心に前後方に離隔配置されて音を再生するスピーカーユニット１０、１０’を各々装着し、それぞれの音を聴取者の耳（図示せず）に伝達する開放型エンクロージャ２０、２０’を備える。音場形成部材３０はエンクロージャ２０、２０’から出てきた音の音場感を広げるための空間を形成するように使われたものであって、望ましくは図１Ｂに示されたように楕円形の音場形成部材３０’を使用し、その上にエンクロージャ２０、２０’を各端部が重畳されないようにその音の出口を聴取者の耳を中心に前後方に若干の間隔をおいて設けるが、そのエンクロージャ２０、２０’の広げられた端部間の外側を音響板５０でかぶせて構成したものである。部材番号４０はヘッドバンド、５１はスリット、７０は外装体である。
【００１４】
このような多チャンネルヘッドホンのエンクロージャ２０、２０’と音場形成部材３０、３０’及び音響板５０などの詳細な構造及び機能については先出願に詳細に記述されている。
【００１５】
前記多チャンネルヘッドホンの音場形成部材３０、３０’は、耳周りに一定の音長空間を形成する円筒部３１を有しており、その円筒部３１の外周面が外装体７０で囲まれている。外装体７０は聴取者の耳周りの顔面に直接接触されるが、まず優れた着用感を持続するために望ましくは人体親和性材質であるシリコンを使用し、具体的に図２ないし図１０のように構成した。
【００１６】
図２ないし図４に示された外装体７０Ａは、環状の放熱フィン型であって、多数の円板状支持板７１が立てられた状態で音場形成部材３０の円筒部３１の外周面に沿って環状に配されて各支持板の内側部分７１ａの隣接したもの同士で一体に連結されている形よりなっている。このような外装体７０Ａは、隣接した円板状支持板７１の間に形成される間隙を通じて通気性に優れ、かつ各支持板７１の広い放熱面積を確保するので、着用中に聴取者の耳周りまたはヘッドホンシステムのスピーカーユニットから生じる熱気を効率よく発散させうる。したがって、長時間着用しても通気及び熱発散効果によって汗ばみを防止する一方、シリコン材質の特性のために皮膚との接触に負担がないので、優れた着用感を長時間持続させうる。
【００１７】
固定リング８０は、図４のように音場形成部材３０の円筒部３１の端部に挟んで固定したものであって、これは円筒部３１を覆いかぶせている外装体７０Ａの離脱を防止するためのものである。もちろん、外装体７０Ａはその固定リング８０にも拘らず円筒部３１から容易に分離でき、分離された状態では水や石鹸水で簡単に洗浄できる。一方、外装体７０Ａは、シリコンなどの伸縮性材質で円筒部３１の端部と聴取者の顔面との間を完全に密閉させ、その円筒部３１内の音場形成空間を安定的に造成して結局音場効果を高める作用も行う。
【００１８】
図５及び図６には前述した実施例による放熱フィン型でありつつさらに通気性を高めた構造の外装体７０Ｂ、７０Ｃが図示されている。図５の外装体７０Ｂは環状コイル型であって、これは前記音場形成部材の円筒部外周面に弾力的に密着して囲むバンド部材７２及びコイルバネの形に巻いて両端を繋ぎ合わせた環状コイル部材７３よりなり、その環状コイル部材７３がバンド部材７２の外側面に一体に付着されている。図６の外装体７０Ｃは環状であって、これは前記音場形成部材の円筒部外周面に弾力的に密着して囲むバンド部材７２及び多数の環状支持リング７４よりなり、その多数の支持リング７４が立てられた状態で環状に配列されて各支持リング７４の内側部分がバンド部材の外側面に一体に付着される。
【００１９】
図７は、ファッション型外装体７０Ｄである。これはシリコン胴体の表面に多様な色彩やキャラクター７５を表現することによってユーザの好みによって選択可能にして新人類の感覚を一層高めるためである。
【００２０】
図８は、指圧型外装体７０Ｅであって、シリコン胴体の表面全体または聴取者の顔面と接する部分に突き出た多数の指圧突起７６を有している。指圧突起７６は、例えばヘッドホン着用時に聴取者の耳周りに分布する経穴を刺激するためのものである。したがって、経穴の位置によって禁煙用やダイエット用などで提供でき、かつかかる外装体７０Ｅは平常時にもヘッドホンから分離して手にしつつ握力運動及び手の指圧用として使用可能なのはもちろんである。
【００２１】
図９は冷温パック型外装体７０Ｆを示したものであって、その胴体を中空チューブ７７で構成し、そのチューブ７７の内部を保温または保冷機能を有する媒体７８で充填して構成したものである。保温及び／または保冷機能を有する媒体７８については韓国実用新案登録第４０５０号及び第１９５９８２号などに開示された公知のものを使用すればよい。かかる冷温パック型外装体７０Ｆは冬季や夏季によってその保温または保冷機能を用いることによって、寒さや暑さにも拘らず長時間使用できる。
【００２２】
次いで、図１０は前記外装体７０Ｄ、７０Ｅ、７０Ｆを綿やウールよりなるカバー９０で被服した状態を示した図面である。すなわち、汗の多い夏には綿よりなるカバーをかぶせて汗吸収力を増大させ、風の多い冬にはウールよりなるカバーをかぶせて耳栓のような保温機能を強化できる。
【００２３】
【産業上の利用の可能性】
以上の実施例では本出願人の先出願による多チャンネルヘッドホンに適用して説明したが、本発明は既存の２チャンネルステレオ用ヘッドホンにも適用または応用可能であることはもちろんである。
【００２４】
以上の実施例を通じて説明されたように、本発明に係るヘッドホンアクセサリーは、優れたヘッドホン着用感を長時間保たせて映画鑑賞などのためにヘッドホンを長時間着用するのに効果的である。また本発明はヘッドホンの着用感を良く保ちつつ多様なデザイン創出を通じたファッション型及び季節によって保温または保冷機能や指圧などの多様な機能をも提供する。
【図面の簡単な説明】
【図１Ａ】
本発明が適用された多チャンネルヘッドホンの着用状態を示す側面図である。
【図１Ｂ】
本発明が適用された多チャンネルヘッドホンの着用状態を示す側面図である。
【図２】
本発明に係るヘッドホンアクセサリーに外装体が適用された構造を示す分離斜視図である。
【図３】
図２に示されたアクセサリーの結合状態を示す横断面図である。
【図４】
図２に示されたアクセサリーの結合状態を示す縦断面図である。
【図５】
本発明に係るヘッドホンアクセサリーに適用するための機能型外装体の他の例を示す斜視図である。
【図６】
本発明に係るヘッドホンアクセサリーに適用するための機能型外装体のさらに他の例を示す斜視図である。
【図７】
本発明に係るヘッドホンアクセサリーに適用するためのファッション型外装体の斜視図である。
【図８】
本発明に係るヘッドホンアクセサリーに適用するための健康型外装体の斜視図である。
【図９】
本発明に係るヘッドホンアクセサリーに適用するための健康型外装体の他の例を示す斜視図である。
【図１０】
本発明に係るヘッドホンアクセサリーに適用するための健康型外装体のさらに他の例を示す斜視図である。
【国際公開パンフレット】
2004511991.tif 000003
2004511991.tif 000004
2004511991.tif 000005
2004511991.tif 000006
2004511991.tif 000007
2004511991.tif 000008
2004511991.tif 000009
2004511991.tif 000010
2004511991.tif 000011
2004511991.tif 000012
2004511991.tif 000013
2004511991.tif 000014
2004511991.tif 000015
2004511991.tif 000016
2004511991.tif 000017
2004511991.tif 000018
2004511991.tif 000019
2004511991.tif 000020
2004511991.tif 000021
【国際調査報告】
2004511991.tif 000022
2004511991.tif 000023